(57)【特許請求の範囲】
【請求項１】
ワイヤハーネスを収納する樋状のプロテクタ本体と、このプロテクタ本体に開閉自在に設けられたカバーとから成り、前記プロテクタ本体の側壁にワイヤハーネス分岐用の切欠部を設け、この切欠部に対向する前記カバーに該切欠部を覆う位置決めカバーを設けたワイヤハーネス用プロテクタにおいて、
前記カバーの前記位置決めカバーの近傍に係止部を設けると共に、前記プロテクタ本体の側壁に該係止部に係止・離脱される係合部を設け、前記カバーと前記位置決めカバーの境部分に該カバーを閉じる方向に押圧する押圧操作部を設け、この押圧操作部を前記カバーと前記位置決めカバーとの境部分の角部の一部を切り欠いてテーパ状に形成したことを特徴とするワイヤハーネス用プロテクタ。
【請求項２】
請求項１記載のワイヤハーネス用プロテクタであって、
前記カバーの前記押圧操作部の両側でかつ前記位置決めカバーよりも内側の位置に係止部をそれぞれ設けると共に、該各係止部に対向する前記プロテクタ本体の側壁の内側に係合部をそれぞれ設けたことを特徴とするワイヤハーネス用プロテクタ。
【発明の詳細な説明】
【０００１】
【発明の属する技術分野】
本発明は、自動車の電気配線に使用されるワイヤハーネスを収納して保護するワイヤハーネス用プロテクタに関する。
【０００２】
【従来の技術】
この種のワイヤハーネス用プロテクタとして、図４に示す実開昭６３−１６７３１９号公報に開示されたものがある。このワイヤハーネス用プロテクタ１は、図示しないワイヤハーネスを収納する合成樹脂製で樋状のプロテクタ本体２と、このプロテクタ本体２の一方の側壁２ａの先端にヒンジ部２ｂを介して開閉自在に支持され、該プロテクタ本体２の両側壁２ａ，２ａ′間を覆うカバー３から構成されている。
【０００３】
そして、プロテクタ本体２の他方の側壁２ａ′にはワイヤハーネス分岐用の切欠部２ｃを形成してあり、この切欠部２ｃに対向するカバー３の端部には該切欠部２ｃの上半部を覆う位置決めカバー４を一体突出形成してある。この位置決めカバー４によってプロテクタ本体２の切欠部２ｃの上半部が覆われて他方の側壁２ａ′が内側に倒れないように押さえられて位置決めされると共に、ワイヤハーネスの分岐線部が押さえられて位置決されることにより、ワイヤハーネスの幹線部及び分岐線部のガタツキや移動がなくなって異音の発生を防止するようになっている。
【０００４】
【発明が解決しようとする課題】
しかしながら、前記従来のワイヤハーネス用プロテクタ１では、カバー３が開状態の際に、プロテクタ本体２の切欠部２ｃがある他方の側壁２ａ′が外側に倒れ易い構造になっているため、カバー３を閉じる際に位置決めカバー４を他方の側壁２ａ′の外側に位置させるように該他方の側壁２ａ′を内側に倒しながらカバー４を閉じなければならず、その閉作業に熟練を要した。特に、プロテクタ本体２の他方の側壁２ａ′とカバー３に両者の閉状態をロックするロック手段としての係止部と係合部がある場合にはその係止作業がより煩雑であった。
【０００５】
そこで、本発明は、前記した課題を解決すべくなされたものであり、ワイヤハーネス分岐用の切欠部を覆う位置決めカバーを備えたカバーのプロテクタ本体に対する閉作業性及び係止作業性を向上させることができるワイヤハーネス用プロテクタを提供することを目的とする。
【０００６】
【課題を解決するための手段】
請求項１の発明は、ワイヤハーネスを収納する樋状のプロテクタ本体と、このプロテクタ本体に開閉自在に設けられたカバーとから成り、前記プロテクタ本体の側壁にワイヤハーネス分岐用の切欠部を設け、この切欠部に対向する前記カバーに該切欠部を覆う位置決めカバーを設けたワイヤハーネス用プロテクタにおいて、前記カバーの前記位置決めカバーの近傍に係止部を設けると共に、前記プロテクタ本体の側壁に該係止部に係止・離脱される係合部を設け、前記カバーと前記位置決めカバーの境部分に該カバーを閉じる方向に押圧する押圧操作部を設け、この押圧操作部を前記カバーと前記位置決めカバーとの境部分の角部の一部を切り欠いてテーパ状に形成したことを特徴とする。
【０００７】
このワイヤハーネス用プロテクタでは、プロテクタ本体に対してカバーを閉じて係止する際に、カバーと位置決めカバーの境部分の押圧操作部をカバーの閉方向に押すだけの簡単な操作によりカバーが簡単に閉じられると共に、カバーの係止部がプロテクタ本体の側壁の係合部に簡単に係止される。特に、カバーと位置決めカバーとの境部分の角部の一部を切り欠いてテーパ状にした押圧操作部によりカバーを閉じる方向に押す作業が容易となり、カバーが確実に閉じられる。
【００１０】
請求項２の発明は、請求項１記載のワイヤハーネス用プロテクタであって、前記カバーの前記押圧操作部の両側でかつ前記位置決めカバーよりも内側の位置に係止部をそれぞれ設けると共に、該各係止部に対向する前記プロテクタ本体の側壁の内側に係合部をそれぞれ設けたことを特徴とする。
【００１１】
このワイヤハーネス用プロテクタでは、プロテクタ本体に対してカバーを閉じる際に、位置決めカバーによりプロテクタ本体の外側に倒れた側壁が内側に戻されつつカバーが閉じられるため、カバーの一対の係止部とプロテクタ本体の側壁の一対の係合部とが容易に係止される。
【００１２】
【発明の実施の形態】
以下、本発明の一実施形態を図面に基づいて説明する。
【００１３】
図１は本発明の一実施形態のワイヤハーネス用プロテクタを示す断面図、図２は同プロテクタのカバーを開いた状態を示す斜視図、図３は同プロテクタのカバーを閉じた状態を示す斜視図である。
【００１４】
図１〜図３に示すように、ワイヤハーネス用プロテクタ１０は、底壁１２と該底壁１２の両端側より上方に起立した両側壁１３，１３′とで樋状（断面コ字状）に形成され、その内部にワイヤハーネス３０の大径の幹線部３１を収納する合成樹脂製のプロテクタ本体１１と、このプロテクタ本体１１の両側壁１３，１３′の先端１３ａ，１３ａ間を開閉する両側及び中央の合成樹脂製のカバー１４，１５とから構成されている。
【００１５】
図２及び図３に示すように、プロテクタ本体１１の一端側（図２中左上端側）の電線導出口１６ａに至る底壁１２はＵ字状に湾曲形成されていると共に、その他端側（図２中右下端側）の電線導出口１６ｂに至る底壁１２はへ字状に屈曲形成されていて、両端間の底壁１２は矩形板状に連続して形成されている。図１に示すように、プロテクタ本体１１の両側壁１３，１３′はその各先端１３ａ，１３ａ間の幅が各基端間の幅よりも広くなって外側に少し傾斜するように底壁１２の両端より上方にそれぞれ一体突出形成されている。
【００１６】
また、プロテクタ本体１１の一方の側壁１３の両側には、車体等に取り付けるための一対のブラケット１７，１７をそれぞれ一体突出形成してある。さらに、一方の側壁１３の各ブラケット１７寄りの位置と底壁１２にはワイヤハーネス分岐用の切欠部１８をそれぞれ形成してある。そして、この各切欠部１８に対向する他方の側壁１３′の先端１３ａには薄肉のヒンジ部１３ｂを介して両側の各カバー１４，１４を開閉動自在にそれぞれ支持してある。
【００１７】
各カバー１４の先端中央には、一方の側壁１３の各切欠部１８の上側を覆う位置決めカバー２０を下方に垂直に延びるように一体突出形成してある。図１に一点鎖線で示すように、各カバー１４を閉じる際に、位置決めカバー２０の先端２０ａの内側がプロテクタ本体１１の一方の側壁１３の先端１３ａに当たるようになっている、これにより、倒れている一方の側壁１３は位置決めカバー２０の先端２０ａにより図１中矢印Ｂに示すように内側に戻され、後述する各カバー１４の係止爪２２とプロテクタ本体１１の一方の側壁１３の係合部２３との係止方向の位置決めがなされるようになっている。
【００１８】
また、各カバー１４と位置決めカバー２０の境部分の中央には、該カバー１４を閉じる方向Ａに押圧操作するための押圧操作部２１を一体形成してある。この押圧操作部２１は各カバー１４と位置決めカバー２０との境部分の中央の角部の一部を切り欠いてなるテーパ状に形成してある。さらに、各カバー１４の裏面のテーパ状の押圧操作部２１の両側でかつ位置決めカバー２０よりも内側の位置には、先端が鉤状の係止爪（係止部）２２をそれぞれ一体突出形成してある。この各係止爪２２に対向するプロテクタ本体１１の一方の側壁１３の内側には、該各係止爪２２が係止・離脱される略四角筒状（枠状）の係合部２３をそれぞれ一体突出形成してある。これら係止爪２２と係合部２３とでプロテクタ本体１１の両側壁１３，１３′間の各カバー１４による閉状態をロックするロック手段が構成されている。
【００１９】
また、プロテクタ本体１１の一方の側壁１３の先端１３ａの中央には、薄肉のヒンジ部１３ｃを介して中央のカバー１５を開閉動自在に支持してある。この中央のカバー１５の先端両側には、先端が鉤状の係止爪（係止部）２４をそれぞれ一体突出形成してある。この各係止爪２４に対向するプロテクタ本体１１の他方の側壁１３′の外側には、該各係止爪２４が係止・離脱される略四角筒状（枠状）の係合部２５をそれぞれ一体突出形成してある。これら係止爪２４と係合部２５とでプロテクタ本体１１の両側壁１３，１３′間のカバー１５による閉状態をロックするロック手段が構成されている。
【００２０】
尚、プロテクタ本体１１の底壁１２と他方の側壁１３′の電線導出口１６ｂ側には、ワイヤハーネス３０の大径の幹線部３１を図示しない粘着テープ等で固定するための固定片２６を一体突出形成してある。さらに、底壁１２と一方の側壁１３とに形成されたワイヤハーネス分岐用の各切欠部１８の該底壁１２側の周縁には、ワイヤハーネス３０の小径の分岐線部３２を図示しない粘着テープ等で固定するための固定片２７をそれぞれ一体突出形成してある。また、他方の側壁１３′の中央のカバー１５に対向する所定位置には、ワイヤハーネス分岐用の切欠部２８を形成してある。
【００２１】
以上実施形態のワイヤハーネス用プロテクタ１０によれば、図１に矢印Ａで示すように、プロテクタ本体１１の両側壁１３，１３′の先端１３ａ，１３ａ間をカバー１４で閉じる際に、カバー１４と位置決めカバー２０の境部分の押圧操作部２１をカバー１４の閉方向Ａに押すだけの簡単な操作によりカバー１４を簡単かつ確実に閉じることができる。この際、カバー１４と位置決めカバー２０との境部分の角部の一部を切り欠いてテーパ状に形成された押圧操作部２１を押すと、カバー１４が閉じる方向に押圧されるため、このテーパ状の押圧操作部２１によりカバー１４を閉方向Ａに押す作業を容易に行うことができる。
【００２２】
また、プロテクタ本体１１の両側壁１３，１３′の先端１３ａ，１３ａ間をカバー１４で閉じる際に、図１の一点鎖線に示すように、位置決めカバー２０の先端２０ａの内側によりプロテクタ本体１１の外側に倒れた一方の側壁１３を内側に戻すことができる。これにより、各カバー１４の係止爪２２とプロテクタ本体１１の一方の側壁１３の係合部２３との係止方向の位置決めが正確に行われるため、カバー１４の押圧操作部２１の両側でかつ位置決めカバー２０よりも内側に位置する一対の係止爪２２，２２とプロテクタ本体１１の一方の側壁１３の内側の一対の係合部２３，２３とを容易かつ確実に係止させることができる。その結果、プロテクタ本体１１の両側壁１３，１３′に対するカバー１４の閉作業性及び係止作業性をより一段と向上させることができる。
【００２３】
尚、前記実施形態によれば、カバーの先端中央にプロテクタ本体の一方の側壁の切欠部の上側を覆う位置決めカバーを下方に垂直に延びるように一体突出形成して、カバーを閉じる際にプロテクタ本体の一方の側壁の先端に当たって倒れている該一方の側壁を内側に戻してカバーの係止爪とプロテクタ本体の一方の側壁の係合部との係止方向の位置決めを行うようにしたが、位置決めカバーの先端側を更に延ばして逆Ｕ字状に形成し、この延ばした位置決めカバーによってプロテクタ本体の一方の側壁の切欠部の上部を更に覆って一方の側壁の位置決めをすると共に、ワイヤハーネスの分岐線部を押さえて該分岐線部の位置決めを行うようにしても良い。
【００２４】
【発明の効果】
以上説明したように、請求項１の発明によれば、カバーの位置決めカバーの近傍に係止部を設けると共に、プロテクタ本体の側壁に該係止部に係止・離脱される係合部を設け、カバーと位置決めカバーの境部分に押圧操作部を設けたので、プロテクタ本体に対してカバーを閉じて係止する際に、カバーと位置決めカバーの境部分の押圧操作部をカバーの閉方向に押すだけの簡単な操作によりカバーを簡単かつ確実に閉じることができると共に、カバーの係止部をプロテクタ本体の側壁の係合部に簡単かつ確実に係止させることができる。これにより、プロテクタ本体に対するカバーの閉作業性及び係止作業性をより一段と向上させることができる。
【００２５】
特に、押圧操作部をカバーと位置決めカバーとの境部分の角部の一部を切り欠いてテーパ状に形成し、このテーパ状の押圧操作部を押すとカバーが閉じる方向に押圧されるため、テーパ状の押圧操作部によりカバーを閉方向に押す作業を容易に行うことができる。
【００２６】
請求項２の発明によれば、カバーの押圧操作部の両側でかつ位置決めカバーよりも内側の位置に係止部をそれぞれ設けると共に、該各係止部に対向するプロテクタ本体の側壁の内側に係合部をそれぞれ設けたので、プロテクタ本体に対してカバーを閉じる際に、位置決めカバーによりプロテクタ本体の外側に倒れた側壁を内側に戻すことができ、カバーの一対の係止部とプロテクタ本体の側壁の一対の係合部とを容易かつ確実に係止させることができる。
【図面の簡単な説明】
【図１】本発明の一実施形態のワイヤハーネス用プロテクタを示す断面図である。
【図２】上記ワイヤハーネス用プロテクタのカバーを開いた状態を示す斜視図である。
【図３】上記ワイヤハーネス用プロテクタのカバーを閉じた状態を示す斜視図である。
【図４】従来のワイヤハーネス用プロテクタの斜視図である。
【符号の説明】
１０  ワイヤハーネス用プロテクタ
１１  プロテクタ本体
１３  側壁
１４  カバー
１８  ワイヤハーネス分岐用の切欠部
２０  位置決めカバー
２１  押圧操作部
２２  係止爪（係止部）
２３  係合部
３０  ワイヤハーネス
【図１】
0003767742.tif 000002
【図２】
0003767742.tif 000003
【図３】
0003767742.tif 000004
【図４】
0003767742.tif 000005